【手続補正書】
【提出日】平成23年11月7日(2011.11.7)
【手続補正１】
【補正対象書類名】特許請求の範囲
【補正対象項目名】全文
【補正方法】変更
【補正の内容】
【特許請求の範囲】
【請求項１】
撮像装置と、前記撮像装置に対向するように設置される投影装置とに接続する映像処理装置であって、
前記投影装置により投影される投影映像上の領域を前記撮像装置の撮影映像への投影光の映り込みを減少させるための暗領域に設定する暗領域設定手段と、
前記投影装置により投影される投影映像の表示部分上に重畳禁止領域を設定する重畳禁止領域設定手段と、
前記暗領域と前記重畳禁止領域との重畳が回避されるように、前記重畳禁止領域設定手段が前記重畳禁止領域を設定した表示部分を移動させ、或いは、大きさを変更させる重畳回避手段とを備えたことを特徴とする映像処理装置。
【請求項２】
投影装置と、前記投影装置とスクリーンの間に前記投影装置に対向するように設置される撮像装置に接続する映像処理装置であって、
前記投影装置により前記スクリーンに投影される投影映像上の領域のうち前記投影装置から前記スクリーンを見たときに前記撮像装置と重なる領域に暗領域を設定する暗領域設定手段と、
前記投影装置により投影される投影映像上に重畳禁止領域を設定する重畳禁止領域設定手段と、
前記投影映像の投影位置を変更する、或いは、前記投影映像の大きさを変更することにより、前記暗領域と前記重畳禁止領域との重畳を回避する重畳回避手段とを備えることを特徴とする映像処理装置。
【請求項３】
撮像装置と、前記撮像装置に対向するように設置される投影装置とに接続する映像処理装置であって、
前記投影装置により投影される投影映像上の領域を前記撮像装置の撮影映像への投影光の映り込みを減少させるための暗領域に設定する暗領域設定手段と、
前記投影装置により投影される投影映像の表示部分を前記暗領域との重畳を回避するための重畳禁止領域に設定する重畳禁止領域設定手段と、
前記重畳禁止領域設定手段により第１の重畳禁止領域と第２の重畳禁止領域が設定された場合、前記第１の重畳禁止領域に設定した第１の表示部分と前記第２の重畳禁止領域に設定した第２の表示部分とのレイアウトを変更することにより、前記第１及び第２の重畳禁止領域と前記暗領域との重畳を回避されるように前記第１及び第２の表示部分を移動させ、或いは、大きさを変更させる重畳回避手段とを備えることを特徴とする映像処理装置。
【請求項４】
前記暗領域設定手段は、前記暗領域の位置、形状、大きさ、色、柄、濃度のうち少なくともいずれか一つを任意に設定できるようにしたことを特徴とする請求項１乃至３のいずれか１項に記載の映像処理装置。
【請求項５】
前記重畳禁止領域設定手段は、前記重畳禁止領域の位置、形状、大きさのうち少なくともいずれか一つを任意に設定できるようにしたことを特徴とする請求項１乃至３のいずれか１項に記載の映像処理装置。
【請求項６】
投影装置と、前記投影装置に対向するように設置される撮像装置と、前記投影装置に接続する映像処理装置とを備えた映像処理システムであって、
前記投影装置により投影される投影映像上の領域を前記投影装置からの投影光の前記撮像装置への映り込みを減少させるための暗領域に設定する暗領域設定手段と、
前記投影装置により投影される投影映像の表示部分上に重畳禁止領域を設定する重畳禁止領域設定手段と、
前記暗領域と前記重畳禁止領域との重畳が回避されるように前記重畳禁止領域設定手段が前記重畳禁止領域を設定した表示部分を移動させ、或いは、大きさを変更させる重畳回避手段とを備えたことを特徴とする映像処理システム。
【請求項７】
投影装置と、前記投影装置とスクリーンの間に前記投影装置に対向するように設置される撮像装置と、前記投影装置に接続する映像処理装置とを備えた映像処理システムであって、
前記投影装置により前記スクリーンに投影される投影映像上の領域のうち前記投影装置から前記スクリーンを見たときに前記撮像装置と重なる領域に暗領域を設定する暗領域設定手段と、
前記投影装置により投影される投影映像上に重畳禁止領域を設定する重畳禁止領域設定手段と、
前記投影映像の投影位置を変更する、或いは、前記投影映像の大きさを変更することにより、前記暗領域と前記重畳禁止領域との重畳を回避する重畳回避手段とを備えることを特徴とする映像処理システム。
【請求項８】
投影装置と、前記投影装置に対向するように設置される撮像装置と、前記投影装置に接続する映像処理装置とを備えた映像処理システムであって、
前記投影装置により投影される投影映像上の領域を前記撮像装置の撮影映像への投影光の映り込みを減少させるための暗領域に設定する暗領域設定手段と、
前記投影装置により投影される投影映像の表示部分を前記暗領域との重畳を回避するための重畳禁止領域に設定する重畳禁止領域設定手段と、
前記重畳禁止領域設定手段により第１の重畳禁止領域と第２の重畳禁止領域が設定された場合、前記第１の重畳禁止領域に設定した第１の表示部分と前記第２の重畳禁止領域に設定した第２の表示部分とのレイアウトを変更することにより、前記第１及び第２の重畳禁止領域と前記暗領域との重畳を回避されるようにされるように前記第１及び第２の表示部分を移動させ、或いは、大きさを変更させる重畳回避手段とを備えることを特徴とする映像処理システム。
【請求項９】
撮像装置と、前記撮像装置に対向するように設置される投影装置とに接続するコンピュータに、
前記投影装置により投影される投影映像上の領域を前記撮像装置の撮影映像への投影光の映り込みを減少させるための暗領域に設定する暗領域設定手順と、
前記投影装置により投影される投影映像の表示部分上に重畳禁止領域を設定する重畳禁止領域設定手順と、
前記暗領域と前記重畳禁止領域との重畳が回避されるように、前記重畳禁止領域設定手順において前記重畳禁止領域を設定した表示部分を移動させ、或いは、大きさを変更させる重畳回避手順とを実行させるためのプログラム。
【請求項１０】
投影装置と、前記投影装置とスクリーンの間に前記投影装置に対向するように設置される撮像装置に接続するコンピュータに、
前記投影装置により前記スクリーンに投影される投影映像上の領域のうち前記投影装置から前記スクリーンを見たときに前記撮像装置と重なる領域に暗領域を設定する暗領域設定手順と、
前記投影装置により投影される投影映像上に重畳禁止領域を設定する重畳禁止領域設定手順と、
前記投影映像の投影位置を変更する、或いは、前記投影映像の大きさを変更することにより、前記暗領域と前記重畳禁止領域との重畳を回避する重畳回避手順とを実行させるためのプログラム。
【請求項１１】
撮像装置と、前記撮像装置に対向するように設置される投影装置に接続するコンピュータに、
前記投影装置により投影される投影映像上の領域を前記撮像装置の撮影映像への投影光の映り込みを減少させるための暗領域に設定する暗領域設定手順と、
前記投影装置により投影される投影映像の表示部分を前記暗領域との重畳を回避するための重畳禁止領域に設定する重畳禁止領域設定手順と、
前記重畳禁止領域設定手順において第１の重畳禁止領域と第２の重畳禁止領域が設定された場合、前記第１の重畳禁止領域に設定した第１の表示部分と前記第２の重畳禁止領域に設定した第２の表示部分とのレイアウトを変更することにより、前記第１及び第２の重畳禁止領域と前記暗領域との重畳を回避されるようにされるように前記第１及び第２の表示部分を移動させ、或いは、大きさを変更させる重畳回避手順とを実行させるためのプログラム。
【手続補正２】
【補正対象書類名】明細書
【補正対象項目名】００１１
【補正方法】変更
【補正の内容】
【００１１】
本発明の映像処理装置は、例えば、撮像装置と、前記撮像装置に対向するように設置される投影装置とに接続する映像処理装置であって、前記投影装置により投影される投影映像上の領域を前記撮像装置の撮影映像への投影光の映り込みを減少させるための暗領域に設定する暗領域設定手段と、前記投影装置により投影される投影映像の表示部分上に重畳禁止領域を設定する重畳禁止領域設定手段と、前記暗領域と前記重畳禁止領域との重畳が回避されるように、前記重畳禁止領域設定手段が前記重畳禁止領域を設定した表示部分を移動させ、或いは、大きさを変更させる重畳回避手段とを備えたことを特徴とする。
また例えば、本発明の映像処理装置は、投影装置と、前記投影装置とスクリーンの間に前記投影装置に対向するように設置される撮像装置に接続する映像処理装置であって、前記投影装置により前記スクリーンに投影される投影映像上の領域のうち前記投影装置から前記スクリーンを見たときに前記撮像装置と重なる領域に暗領域を設定する暗領域設定手段と、前記投影装置により投影される投影映像上に重畳禁止領域を設定する重畳禁止領域設定手段と、前記投影映像の投影位置を変更する、或いは、前記投影映像の大きさを変更することにより、前記暗領域と前記重畳禁止領域との重畳を回避する重畳回避手段とを備えることを特徴とする。
また例えば、本発明の映像処理装置は、撮像装置と、前記撮像装置に対向するように設置される投影装置とに接続する映像処理装置であって、前記投影装置により投影される投影映像上の領域を前記撮像装置の撮影映像への投影光の映り込みを減少させるための暗領域に設定する暗領域設定手段と、前記投影装置により投影される投影映像の表示部分を前記暗領域との重畳を回避するための重畳禁止領域に設定する重畳禁止領域設定手段と、前記重畳禁止領域設定手段により第１の重畳禁止領域と第２の重畳禁止領域が設定された場合、前記第１の重畳禁止領域に設定した第１の表示部分と前記第２の重畳禁止領域に設定した第２の表示部分とのレイアウトを変更することにより、前記第１及び第２の重畳禁止領域と前記暗領域との重畳を回避されるように前記第１及び第２の表示部分を移動させ、或いは、大きさを変更させる重畳回避手段とを備えることを特徴とする。